(57)【要約】【課題】棺桶自体は単純な箱を用い、これに装飾されたクロスを被せることでペットに対する飼い主の心を癒すことができるペット用葬斎花立クロスを提供する。【解決手段】ペットの死骸を収容する棺桶１に掛ける紙製又は布製クロス２であって、棺桶１の上面１１を覆う矩形状の第１面２１と、棺桶１の４つの側面１２〜１５をそれぞれ覆うように第１面２１の各辺のそれぞれに連続して形成された第２面２２、第３面２３、第４面２４及び第５面２５と、を有し、第２面２２、第３面２３、第４面２４及び第５面２５の少なくとも一面に紙製造花３の茎３１を差し込む差込部２６が複数形成されている。【選択図】  図１
2005074152.tif 000002
【特許請求の範囲】
【請求項１】
ペットの死骸を収容する棺桶に掛ける紙製又は布製クロスであって、前記棺桶の上面を覆う矩形状の第１面と、前記棺桶の４つの側面をそれぞれ覆うように前記第１面の各辺のそれぞれに連続して形成された第２面、第３面、第４面及び第５面と、を有し、
前記第２面、第３面、第４面及び第５面の少なくとも一面に造花の茎を差し込む差込部が複数形成されていることを特徴とするペット用葬斎花立クロス。
【請求項２】
前記第１面にペットの写真を挿入する第１ポケットが形成されていることを特徴とする請求項１記載のペット用葬斎花立クロス。
【請求項３】
前記第１面にペットの名札を挿入する第２ポケットが形成されていることを特徴とする請求項１又は２記載のペット用葬斎花立クロス。
【請求項４】
前記第２面、第３面、第４面及び第５面の少なくとも一面にペットへのメッセージカードを挿入する第３ポケットが形成されていることを特徴とする請求項１〜３の何れかに記載のペット用葬斎花立クロス。
【発明の詳細な説明】
【技術分野】
【０００１】
本発明は、犬や猫などのペットを埋葬する際に棺桶の表面に掛けて使用される装飾クロスに関する。
【背景技術】
【０００２】
犬や猫などのペットも人間と同じように棺桶に入れて火葬したり埋葬したりされる。従来より、飼い主のペットに対する愛情を示すために様々なペット用棺桶が提案されているが、何れも棺桶そのものを飾り付けたりするものであることから、高価な棺桶となったり、複雑で生産性の悪い棺桶となっていた。
【特許文献１】特開平７−２８９１１０号公報
【特許文献２】特開平１０−９８９６７号公報
【発明の開示】
【０００３】
本発明は、棺桶自体は単純な箱を用い、これに装飾されたクロスを被せることでペットに対する飼い主の心を癒すことができるペット用葬斎花立クロスを提供することを目的とする。
上記目的を達成するために、本発明によれば、ペットの死骸を収容する棺桶に掛ける紙製又は布製クロスであって、前記棺桶の上面を覆う矩形状の第１面と、前記棺桶の４つの側面をそれぞれ覆うように前記第１面の各辺のそれぞれに連続して形成された第２面、第３面、第４面及び第５面と、を有し、前記第２面、第３面、第４面及び第５面の少なくとも一面に造花の茎を差し込む差込部が複数形成されていることを特徴とするペット用葬斎花立クロスが提供される。
【０００４】
本発明において、前記第１面にペットの写真を挿入する第１ポケットや、同じく第１面にペットの名札を挿入する第２ポケットなどを形成することがより好ましい。
【０００５】
また、本発明において、前記第２面、第３面、第４面及び第５面の少なくとも一面にペットへのメッセージカードを挿入する第３ポケットを形成することがより好ましい。
【０００６】
本発明では、第１面〜第５面からなるクロスをペットの死骸を入れた棺桶の表面に被せ、この状態でペットの火葬や埋葬を行う。第２面〜第５面の少なくとも一面に設けられた差込部に造花の茎を差し込むことで、ペット棺桶がより艶やかになる。また、第１面に形成された第１ポケットにペットの写真を挿入し、第２ポケットにはペットの名札を挿入し、第３ポケットには飼い主からペットに対するメッセージを記載したメッセージカードを挿入することで、ペットを火葬、埋葬する際の飼い主の心をより癒すことができる。
【発明の実施の形態】
【０００７】
以下、本発明の実施形態を図面に基づいて説明する。  
図１は本発明の実施形態に係る花立てクロスを示す展開図、図２は本発明の実施形態に係る花立てクロスを棺桶に被せた使用状態を示す斜視図、図３は本発明の実施形態に係る花立てクロスの差込部を示す拡大斜視図及び断面図、図４は本発明の実施形態に係る花立てクロスが被せられるペット棺桶の一例を示す斜視図である。
【０００８】
本実施形態において、ペットの死骸を収容する棺桶１は、図４に示すようにダンボール箱から構成されており、その表面には印刷など何らの装飾も施されていない。本例で使用される棺桶１は、ペットの大きさに応じて、たとえば小さいペット用の棺桶１ａとして縦５４ｃｍ×横３６ｃｍ×高さ２２ｃｍのものを、中位のペット用の棺桶１ｂとして縦７０ｃｍ×横５２ｃｍ×高さ２３ｃｍのものを、大きいペット用の棺桶１ｃとして縦９２ｃｍ×横６１ｃｍ×高さ３２ｃｍのものを、それぞれ使用することができる。こうした無装飾のダンボール箱を棺桶１として使用することで、安価かつ作製が容易となる。
【０００９】
本実施形態に係る花立てクロス２は、図２示すように上述したダンボール箱からなる棺桶１の上面１１及び４つの側面１２〜１５（図４参照）を覆うように被せて使用されるものである。このため、図１に示すように、棺桶１の上面１１に相当する大きさの第１面２１と、棺桶１の４つの側面１２〜１５のそれぞれに相当する大きさの第２面２２、第３面２３、第４面２４及び第５面２５とを有し、第１面２１の４辺のそれぞれに第２面２２、第３面２３、第４面２４及び第５面２５が連続して形成されている。本実施形態の花立てクロス２は紙製又は布製であるので、矩形状の原紙又は原布の四隅を切り落とすことで図１に示す花立てクロスを作製することができる。なお、第１面２１の４つの辺に折り目を形成しておけば、棺桶１に被せる際の作業性が向上する。
【００１０】
本実施形態の花立てクロス２の表面には、棺桶１を艶やかにするための模様や色彩などが印刷などによって施されている。これにより、沈みがちな飼い主の気持ちが癒され、愛するペットの供養を行うことができる。
【００１１】
特に本実施形態に係る花立てクロス２には、その第２面２２、第３面２３及び第４面２４の各一辺に、紙製造花の茎を差し込むための差込部２６が形成されている。この差込部２６は、図３に示すように短冊状の紙をジグザグに折り曲げて造花３の茎３１が挿入できるようにするとともに、底面を両面テープや接着剤を用いて第２面２２、第３面２３及び第４面２４のそれぞれに貼り付けて構成される。そして、ペットを火葬又は埋葬する際には、この差込部２６に複数の紙製造花を差し込むことにより、棺桶１が艶やかに装飾され、飼い主の気持ちを癒すことができる。図示する実施形態では、第２面２２，第３面２３及び第４面２４の３つの面であって後述するペットの写真を取り囲む位置に差込部２６を設けることで、愛するペットがたくさんの花に取り囲まれることになり、ペットに対する飼い主の気持ちがより一層癒されることになる。
【００１２】
さらに本実施形態に係る花立てクロス２においては、第１面２１にペットの写真を挿入する第１ポケット２７と、ペットの名札を挿入する第２ポケット２９が設けられている。さらに第３面２３及び第４面にはペットへの別れのメッセージを書いたメッセージカードが挿入できる第３ポケット２９が設けられ、第２面２２及び第５面２５にも第３ポケット２９が設けられている。
【００１３】
これら第１ポケット２７，第２ポケット２８及び第３ポケット２９は、たとえば透明なセロファンシートの３隅を接着剤や熱融着により花立てクロス２の表面に貼り付けることで構成される。
【００１４】
このように、本実施形態の花立てクロス２を用いると、愛するペットの葬儀が艶やかなものとなり、飼い主の沈んだ気持ちを癒すことができる。特に、棺桶２自体は汎用のダンボール箱を用いるので安価なものとなり、また製作も容易となる。
【００１５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００１６】
【図１】本発明の実施形態に係る花立てクロスを示す展開図である。
【図２】本発明の実施形態に係る花立てクロスを棺桶に被せた使用状態を示す斜視図である。
【図３】本発明の実施形態に係る花立てクロスの差込部を示す拡大斜視図及び断面図である。
【図４】本発明の実施形態に係る花立てクロスが被せられるペット棺桶の一例を示す斜視図である。
【符号の説明】
【００１７】
１…棺桶
２…花立てクロス
３…造花
【図１】
2005074152.tif 000003
【図２】
2005074152.tif 000004
【図３】
2005074152.tif 000005
【図４】
2005074152.tif 000006